(57)【要約】【課題】浴槽内の形状を変更できる自由度が高い浴槽を提供する。【解決手段】浴槽本体１０と、浴槽本体１０内に配置されて浴槽本体１０内の形状を変更する形状変更要素体２０とを備えてなる浴槽Ｂである。形状変更要素体２０としては、例えば浴槽本体１０内に腰掛を形成する腰掛要素体３０や浴槽本体１０の底上げをする底上げ要素体４０などがある。底上げする場合には、底上げ要素体４０，４０間に差し渡される底上げ補助板４２が用いられる。【選択図】図１
2014132973.tif 000002
【特許請求の範囲】
【請求項１】
浴槽本体と、該浴槽本体内に配置されて同内の形状を変更する形状変更要素体とを備えてなることを特徴とする浴槽。
【請求項２】
形状変更要素体の形状変更を補助する補助要素体を備えてなることを特徴とする請求項１記載の浴槽。
【請求項３】
形状変更要素体が、浴槽本体内に係合されて固定されてなることを特徴とする請求項１記載の浴槽。
【請求項４】
形状変更要素体を係合する係合部が浴槽本体の内側面に形成されてなることを特徴とする請求項３記載の浴槽。
【請求項５】
形状変更要素体に吸盤が設けられ、前記吸盤の吸着力により前記形状変更要素体が浴槽本体の内側面に固定されてなることを特徴とする請求項１記載の浴槽。
【請求項６】
浴槽本体が磁性体からなるものとされ、形状変更要素体に磁石が埋設され、前記磁石の吸着力により前記形状変更要素体が浴槽本体の内側面に固定されてなることを特徴とする請求項１記載の浴槽。
【請求項７】
浴槽本体が形状変更要素体を収納する収納部を有し、前記収納部に前記形状変更要素体が進退自在に収納されてなることを特徴とする請求項１記載の浴槽。
【請求項８】
収納部が浴槽本体の側面に形成され、前記収納部に形状変更要素体が水平方向に進退自在に収納されてなることを特徴とする請求項７記載の浴槽。
【請求項９】
収納部が浴槽本体の底面に形成され、前記収納部に形状変更要素体が上下方向に進退自在に収納されてなることを特徴とする請求項７記載の浴槽。
【請求項１０】
形状変更要素体が腰掛要素体とされてなることを特徴とする請求項１記載の浴槽。
【請求項１１】
形状変更要素体が底上げ要素体とされてなることを特徴とする請求項１記載の浴槽。
【請求項１２】
角部に底上げ補助板の載置部が形成されてなることを特徴とする請求項１１記載の浴槽。
【請求項１３】
腰掛要素体の角部が着脱自在とされてなることを特徴とする請求項１０記載の浴槽。
【請求項１４】
角部が取り外された部分が底上げ補助板の載置部とされてなることを特徴とする請求項１３記載の浴槽。
【請求項１５】
浴槽本体の内表面に伸縮自在な被膜が形成されてなることを特徴とする請求項７記載の浴槽。
【発明の詳細な説明】
【技術分野】
【０００１】
本発明は浴槽に関する。さらに詳しくは、浴槽内の形状を変更できる自由度が高い浴槽に関する。
【背景技術】
【０００２】
急速な高齢化社会の到来により介護施設が不足し、そのために高齢者の在宅介護や在宅介助が増加しつつある。
【０００３】
介護や介助を必要とする高齢者(以下、介護対象者という)の健康を維持するためには、定期的な入浴が必要となる。しかしながら、現状の一般住宅における浴槽は、健常者の入浴を前提としているため、介護対象者を入浴させる場合、深さが深すぎるという問題がある。
【０００４】
かかる従来の浴槽の深さが介護対象者には深すぎるという問題を解決すべく、特許文献１には、浴槽の底部に空気圧により膨張・収縮可能なエアーベッドを設置し、エアーベッドは空気圧により膨張させたときに介護対象者を仰臥させた状態で載せることが可能で、空気圧を収縮させた状態では介護対象者が入浴可能となるようにされた深さ可変浴槽が提案されている。
【０００５】
また、特許文献２には、伸縮性を有する素材からなる浴槽の内を構成する内壁部と、前記内壁部に圧力を加え、前記内壁部で囲まれる凹部である湯船部の形状を変更する加圧部と、前記湯船部の形状を変更可能な範囲である可動範囲を設定する設定部と、ユーザからの操作入力および前記可動範囲に基づいて前記加圧部を制御する加圧制御部と、前記湯船部の底面積を検出する底面積検出部と、前記湯船部の底面にかかる圧力をセンシングする圧力センサと、前記湯船部の底面にかかる前記圧力および前記湯船部の底面積に基づいて前記湯船内の水量を検出する水量検出部とを備え、前記設定部は前記湯船部の底面積および前記湯船内の水量に基づいて前記可動範囲を設定する浴槽装置が提案されている。
【０００６】
また、特許文献３には、浴槽に体部可動板、大腿部可動板および下肢部可動板ならびにヘッドレストを設けた小型浴槽が提案されている。
【０００７】
また、特許文献４には、浴槽と、蓋兼支持板と、蓋兼支持板のほぼ半分を水平に保持して上下移動させる上下駆動装置とからなり、蓋兼支持板は長手方向に対して直角方向にほぼ中央部で折曲可能に形成され、蓋兼支持板の長手方向の一端が浴槽の側部上端に回動可能に固定または当接され、蓋兼支持板の他端から折曲部にかけての部分の下側と浴槽の底面との間に、その部分の蓋兼支持板を水平に保持して上下移動させる前記の上下駆動装置を配設してなる風呂が提案されている。
【０００８】
しかしながら、いずれの提案においても浴槽内の形状を変更できる自由度が低いという問題がある。
【０００９】
なお、特許文献５には、浴槽内の両側側壁に沿って底部から２つの内側凸部が突き出すように設けられ、その両内側凸部の上部には平坦で水平な上面が浴槽の深さの約半分の高さ位置に形成されて構成されてなる浴槽が提案されている。
【先行技術文献】
【特許文献】
【００１０】
【特許文献１】特開２００３−２５０８５６号公報
【特許文献２】特許第４６３９７４２号公報
【特許文献３】特開平１０−２４８７４０号公報
【特許文献４】実開平２−６０４２号公報
【特許文献５】特開平９−２７１４５２号公報
【発明の開示】
【発明が解決しようとする課題】
【００１１】
本発明はかかる従来技術の課題に鑑みなされたものであって、浴槽内の形状を変更できる自由度が高い浴槽を提供することを目的としている。
【課題を解決するための手段】
【００１２】
本発明の浴槽は、浴槽本体と、該浴槽本体内に配置されて同内の形状を変更する形状変更要素体とを備えてなることを特徴とする。
【００１３】
本発明の浴槽においては、形状変更要素体の形状変更を補助する補助要素体を備えてなるのが好ましい。
【００１４】
また、本発明の浴槽においては、形状変更要素体が、浴槽本体内に係合されて固定されてなるのが好ましい。その場合、形状変更要素体を係合する係合部が浴槽本体の内側面に形成されてなるのがさらに好ましい。
【００１５】
また、本発明の浴槽においては、形状変更要素体に吸盤が設けられ、前記吸盤の吸着力により前記形状変更要素体が浴槽本体の内側面に固定されてなるのが好ましい。
【００１６】
また、本発明の浴槽においては、浴槽本体が磁性体からなるものとされ、形状変更要素体に磁石が埋設され、前記磁石の吸着力により前記形状変更要素体が浴槽本体の内側面に固定されてなるのが好ましい。
【００１７】
また、本発明の浴槽においては、浴槽本体が形状変更要素体を収納する収納部を有し、前記収納部に前記形状変更要素体が進退自在に収納されてなるのが好ましい。例えば、収納部が浴槽本体の側面に形成され、前記収納部に形状変更要素体が水平方向に進退自在に収納されてなるものとされたり、あるいは  収納部が浴槽本体の底面に形成され、前記収納部に形状変更要素体が上下方向に進退自在に収納されてなるものとされたりするのが好ましい。その場合、浴槽本体の内表面に伸縮自在な被膜が形成されてなるのがさらに好ましい。
【００１８】
しかして、本発明の浴槽においては、形状変更要素体が、例えば、腰掛要素体とされたり、形状変更要素体が底上げ要素体とされたりする。
【００１９】
本発明の浴槽においては、形状変更要素体が底上げ要素体とされた場合には、角部に底上げ補助板の載置部が形成されてなるのが好ましい。
【００２０】
また、本発明の浴槽においては、腰掛要素体の角部が着脱自在とされてなるのが好ましい。その場合、角部が取り外された部分が底上げ補助板の載置部とされてなるのがさらに好ましい。
【発明の効果】
【００２１】
本発明は前記の如く構成されているので、浴槽内の形状を変更できる自由度が高いという優れた効果を奏する。
【図面の簡単な説明】
【００２２】
【図１】本発明の実施形態１に係る浴槽の平面図である。
【図２】同長手方向断面図である。
【図３】係合凹部の二面図であって、同(ａ)は正面図を示し、同(ｂ)はＡ−Ａ線断面図を示す。
【図４】腰掛要素体の概略図である。
【図５】底上げ要素体および補助板の概略図である。
【図６】本発明の実施形態２に係る浴槽の平面図である。
【図７】図６のＢ−Ｂ線断面図である。
【図８】本発明の実施形態３に係る浴槽の平面図である。
【図９】同横手方向断面図である。
【図１０】本発明の実施形態４に係る浴槽の要部概略図である。
【図１１】本発明の実施形態５に係る浴槽の要部概略図である。
【図１２】腰掛要素体の変形例の概略図である。
【発明を実施するための形態】
【００２３】
以下、添付図面を参照しながら本発明を実施形態に基づいて説明するが、本発明はかかる実施形態のみに限定されるものではない。
【００２４】
実施形態１
図１および図２に、本発明の実施形態１に係る浴槽Ｂを示す。
【００２５】
浴槽Ｂは、図１および図２に示すように、浴槽本体１０と浴槽内形状変更要素体２０とを備えてなるものとされる。
【００２６】
浴槽本体１０は、基本的には通常の浴槽と同様とされているが、図３に示すように、内面の適宜位置に浴槽内形状変更要素体(腰掛要素体３０、底上げ要素体４０)２０の係合凸部２２と係合される係合凹部１２を有するものとされる。
【００２７】
係合凹部１２は、図３に示すように、正面視がＴ字状を呈し、Ｔ字の水平部の下方に保持空間１４を有するものとされる。
浴槽内形状変更要素体２０は、用途に応じた形態のものが用意され、その用途に応じて浴槽本体１０内にセットされる。浴槽内形状変更要素体２０には、例えば、腰掛を浴槽本体１０内に形成するための腰掛要素体３０(図４参照）や、浴槽本体１０の深さを浅くする底上げ要素体４０(図５参照）などが設けられている。図５中、符号４２は底上げ補助板を示す。
【００２８】
浴槽内形状変更要素体２０の係合凸部２２は、図３（ｂ）に示すように、水平部材とされた係合本体２３と、係合本体２３を浴槽内形状変更要素体２０から支持する支持部材２４とを含むものとされる。係合本体２３は前述したＴ字の水平部に嵌合されるようにされ、また支持部材２４はＴ字の垂直部に嵌合されるようにされている。
【００２９】
次に、かかる構成とされた浴槽Ｂにおける浴槽内の形状変更について説明する。
【００３０】
１．浴槽内に腰掛を形成する場合
浴槽本体１０に設けられた係合凹部１２のＴ字の水平部に腰掛要素体３０の係合凸部２２の係合本体２３を差し込んだ後、腰掛要素体３０を押し下げて腰掛要素体３０の底面を浴槽本体１０に底面に当接させる。これにより、浴槽本体１０内に腰掛が形成される。
【００３１】
２．浴槽の底上げをする場合
まず、浴槽本体１０に設けられた係合凹部１２のＴ字の水平部に底上げ要素体４０の係合凸部２２の係合本体２３を差し込んだ後、底上げ要素体４０を押し下げて底上げ要素体４０の底面を浴槽本体１０に底面に当接させる。ついで、底上げ要素体４０の上面端部に形成されている載置部４１に底上げ補助板４２を載置して底上げ要素体４０，４０間に底上げ補助板４２を差し渡しする。これにより、浴槽本体１０の底上げがなされる。つまり、浴槽Ｂの底上げがなされる。
【００３２】
このように、本実施形態によれば、簡易に浴槽Ｂ内の形状を変更できる。また、用途に応じた浴槽内形状変更要素体２０を用意するだけで浴槽Ｂ内の形状が変更できるので、形状変更の自由度が高い。
【００３３】
実施形態２
図６および図７に、本発明の実施形態２に係る浴槽Ｂを示す。実施形態２は実施形態１を改変してなるものであって、浴槽本体１０に浴槽内形状変更要素体２０を収納する収納部５０を形成し、浴槽内形状変更要素体２０をアクチュエータ５２により浴槽本体１０内に進退させるようにしてなるものとされる。なお、収納部５０は、本実施形態では、浴槽本体１０側面に配設されている。
【００３４】
このように、本実施形態によれば、浴槽内形状変更要素体２０をアクチュエータ５２により浴槽本体１０内に進退させるようにされているので、浴槽本体１０内の形状変更に要する労力が軽減されるという実施形態１では得られない効果も得られる。
【００３５】
なお、本実施形態においては、浴槽本体１０内を伸縮自在な被膜で覆うようにされてもよい。
【００３６】
実施形態３
図８および図９に、本発明の実施形態３に係る浴槽Ｂを示す。実施形態３は実施形態２を改変してなるものであって、浴槽本体１０底部に浴槽内形状変更要素体２０を収納する収納部５０を形成してなるものとされる。なお、本実施形態のその余の構成は実施形態２と同様とされている。
【００３７】
このように、本実施形態によれば、浴槽内形状変更要素体２０をアクチュエータ５２により浴槽本体１０底部から昇降自在とされているので、浴槽Ｂの深さの変更における自由度が増大するという実施形態２では得られない効果も得られる。
【００３８】
実施形態４
図１０に、本発明の実施形態４に係る浴槽Ｂを示す。実施形態４は実施形態１を改変してなるものであって、浴槽内形状変更要素体２０の浴槽本体１０側面に面する面(背面)に吸盤６０を設け、浴槽内形状変更要素体２０を浴槽本体１０側面に吸着させることにより、浴槽内形状変更要素体２０の浴槽本体１０側面に固定するようにしてなるものとされる。
【００３９】
なお、吸盤６０を底面に設け、浴槽内形状変更要素体２０を浴槽本体１０底面に吸着させることにより、浴槽内形状変更要素体２０の浴槽本体１０底面に固定するようにしてもよい。
【００４０】
このように、本実施形態によれば、浴槽本体１０に加工する必要がないので、従来の浴槽本体を用いることができ、実施形態１に比してコストダウンが図られる。
【００４１】
実施形態５
図１１に、本発明の実施形態４に係る浴槽Ｂを示す。実施形態４は実施形態１を改変してなるものであって、浴槽本体１０を磁性を有するステンレスやホーローなどにより作製する一方、浴槽内形状変更要素体２０の浴槽本体１０側面に面する面(背面)に磁石(例えば、樹脂製磁石)７０を背面と面一に埋設し、浴槽内形状変更要素体２０を浴槽本体１０側面に吸着させることにより、浴槽内形状変更要素体２０の浴槽本体１０側面に固定するようにしてなるものとされる。
【００４２】
なお、磁石７０を底面に設け、浴槽内形状変更要素体２０を浴槽本体１０底面に吸着させることにより、浴槽内形状変更要素体２０の浴槽本体１０底面に固定するようにしてもよい。
【００４３】
このように、本実施形態によれば、浴槽本体１０に加工する必要がないので、従来の浴槽本体を用いることができ、実施形態１に比してコストダウンが図られる。また、磁石７０は浴槽内形状変更要素体２０に面一に埋設されているので、実施形態４に比して浴槽内形状変更要素体２０の外観がよくなる。
【００４４】
以上、本発明を実施形態に基づいて説明してきたが、本発明はかかる実施形態のみに限定されるものではなく、種々改変が可能である。
【００４５】
例えば、実施形態１では、腰掛要素体３０と底上げ要素体４０とが用いられているが、図１２に示すように、腰掛要素体３０の角部３１を着脱自在とし、その角部３１を撤去することにより底上げ要素体４０とするようにされてもよい。つまり、図１２に示すように、腰掛要素体３０の本体角部３０ａに嵌合凹部３０ｂを形成する一方、角部３１底部に嵌合凸部３１ａを形成して角部３１を着脱自在とするようにされてもよい。この場合、底上げ補助板４２の底面の対応箇所には、前記嵌合凹部３０ｂと嵌合する嵌合凸部４２ａを受け、底上げ補助板４２を腰掛要素体３０に固定するようにされてもよい。
【００４６】
そして、このようにすることにより、浴槽内形状変更要素体２０の種類を削減でき、浴槽内形状変更要素体２０の管理が簡素化される。
【００４７】
また、腰掛要素体３０に、ヘッドレストや肘置きが設けられてもよい。
【産業上の利用可能性】
【００４８】
本発明は浴槽製造業および住宅産業に適用できる。
【符号の説明】
【００４９】
Ｂ      浴槽
１０      浴槽本体
１２      係合凹部
１４      保持空間
２０      浴槽内形状変更要素体
２２      係合凸部
２３      係合本体
２４      支持部材
３０      腰掛要素体
３０ａ    本体角部
３０ｂ    嵌合凹部
３１      角部
３１ａ    嵌合凸部
４０      底上げ要素体
４１      載置部
４２      底上げ補助板
４２ａ    嵌合凸部
５０      収納部
５２      アクチュエータ
６０      吸盤
７０      磁石
【図１】
2014132973.tif 000003
【図２】
2014132973.tif 000004
【図３】
2014132973.tif 000005
【図４】
2014132973.tif 000006
【図５】
2014132973.tif 000007
【図６】
2014132973.tif 000008
【図７】
2014132973.tif 000009
【図８】
2014132973.tif 000010
【図９】
2014132973.tif 000011
【図１０】
2014132973.tif 000012
【図１１】
2014132973.tif 000013
【図１２】
2014132973.tif 000014